(57)【要約】【課題】メディア着脱用カバーが開く動作を途中で制止し、メディア着脱用カバーと本体ケースとの連結部分の損傷を防止した携帯機器を提供する。【解決手段】本体ケース９には、制止部材１３A、Bと当接する当接部材２３A、Bが設けられている。ユーザがメディア着脱用カバー１０を開くために一端部１２A、１２Bを軸に他端部１４を回動させていくと、制止部材１３A、Bは、メディア着脱用カバー１０より先に本体ケース９に当接する。詳述すると、制止部材１３A、Bは、メディア着脱用カバー１０より先に、本体ケース９に設けられている当接部材２３A、Bと当接する。この当接により、制止部材１３A、Bは、他端部１４の回動を途中で制止し、メディア着脱用カバー１０は、最後まで開かずに途中で止まる。つまり、制止部材１３A、Bがクッションとなり、メディア着脱用カバー１０と本体ケース９との連結部分の負荷が軽減される。【選択図】  図７
2008123248.tif 000002
【特許請求の範囲】
【請求項１】
本体ケースに取り付けられた金属製の円筒状回転体と連結された一端部と、該一端部を軸にして回動する他端部と、を有するメディア着脱用カバーを備え、
前記メディア着脱用カバーをその他端部の回動により開け、メディアを着脱する構成の携帯機器において、
前記メディア着脱用カバーの前記一端部又は前記本体ケースにおける前記円筒状回転体の取付面には、前記メディア着脱用カバーを閉めた状態で、前記本体ケースの前記取付面に対し水平に、前記メディア着脱用カバーを前記円筒状回転体を介してスライドさせるスライド部が形成され、
前記本体ケースは、前記本体ケースの前記取付面に、第１の突起を有し、
前記メディア着脱用カバーは、
前記メディア着脱用カバーを閉めた状態でスライドさせたときに、前記第１の突起と嵌合する第２の突起と、
前記一端部に設けられ、前記メディア着脱用カバーの前記他端部が回動する間に、前記メディア着脱用カバーより先に前記本体ケースに当接し、前記他端部の回動を途中で制止する制止部材と、を有し、
前記第２の突起と前記制止部材とは、前記メディア着脱用カバーを作成する際に一体成型された携帯機器。
【請求項２】
本体ケースに取り付けられた円筒状回転体と連結された一端部と、該一端部を軸にして回動する他端部と、を有するメディア着脱用カバーを備え、
前記メディア着脱用カバーをその他端部の回動により開け、メディアを着脱する構成の携帯機器において、
前記メディア着脱用カバーの前記一端部又は前記本体ケースにおける前記円筒状回転体の取付面には、前記メディア着脱用カバーを閉めた状態で、前記本体ケースの前記取付面に対し水平に、前記メディア着脱用カバーを前記円筒状回転体を介してスライドさせるスライド部が形成され、
前記本体ケースは、前記本体ケースの前記取付面に、第１の突起を有し、
前記メディア着脱用カバーは、
前記メディア着脱用カバーを閉めた状態でスライドさせたときに、前記第１の突起と嵌合する第２の突起と、
前記一端部に設けられ、前記メディア着脱用カバーの前記他端部が回動する間に、前記メディア着脱用カバーより先に前記本体ケースに当接し、前記他端部の回動を途中で制止する制止部材と、を有する携帯機器。
【請求項３】
前記第２の突起と前記制止部材とは、前記メディア着脱用カバーを作成する際に一体成型された請求項２に記載の携帯機器。
【請求項４】
前記円筒状回転体の材質は、金属である請求項２又は３に記載の携帯機器。
【発明の詳細な説明】
【技術分野】
【０００１】
本発明は、ユーザが持ち運び可能なポータブルオーディオプレーヤや撮像装置等の携帯機器に関するものである。
【背景技術】
【０００２】
ユーザが持ち運び可能な携帯機器には、メモリーカードに記録されている音楽データを再生するポータブルオーディオプレーヤ等がある。ポータブルオーディオプレーヤは、メモリーカードを収納する収納部や、再生中の音楽データに関する情報を表示する表示部や、再生する音楽の変更要求等を受け付ける操作キーを有する操作部等から構成されている。
【０００３】
この収納部は、装置本体の本体ケースに取り付けられたメディア着脱用カバーで覆われている。そして、ユーザはこのメディア着脱用カバーを開け、収納部に収納されているメモリーカードを着脱する。これにより、ユーザはメモリーカードの交換などを行う。
一方、特許文献１に記載されたような電子機器が提案されている。
【特許文献１】特開２００３−１５８６５７公報
【発明の開示】
【発明が解決しようとする課題】
【０００４】
しかしながら、メモリーカードの着脱は頻繁に行われるので、メディア着脱用カバーの開閉回数も多くなってしまう。そのため、メディア着脱用カバーと本体ケースとの連結部分には負荷がかかり、該連結部分が損傷することもあった。
よって、上記従来の携帯機器では、メディア着脱用カバーと本体ケースとの連結部分が損傷を受け、メディア着脱用カバーの開閉が正常に行えなくなるという問題があった。また、メディア着脱用カバーと本体ケースとの連結部分の損傷によって、本体ケースの外観が損なわれるという問題もあった。
【０００５】
本発明はこのような従来の課題を解決しようとするものであり、メディア着脱用カバーが開く動作を途中で制止し、メディア着脱用カバーと本体ケースとの連結部分の損傷を防止した携帯機器を提供することを目的とする。
【課題を解決するための手段】
【０００６】
本発明の携帯機器は、前記課題を解決するために以下の構成を備えている。
【０００７】
（１）本体ケースに取り付けられた円筒状回転体と連結された一端部と、該一端部を軸にして回動する他端部と、を有するメディア着脱用カバーを備え、
前記メディア着脱用カバーをその他端部の回動により開け、メディアを着脱する構成の携帯機器において、
前記メディア着脱用カバーの前記一端部又は前記本体ケースにおける前記円筒状回転体の取付面には、前記メディア着脱用カバーを閉めた状態で、前記本体ケースの前記取付面に対し水平に、前記メディア着脱用カバーを前記円筒状回転体を介してスライドさせるスライド部が形成され、
前記本体ケースは、前記本体ケースの前記取付面に、第１の突起を有し、
前記メディア着脱用カバーは、
前記メディア着脱用カバーを閉めた状態でスライドさせたときに、前記第１の突起と嵌合する第２の突起と、
前記一端部に設けられ、前記メディア着脱用カバーの前記他端部が回動する間に、前記メディア着脱用カバーより先に前記本体ケースに当接し、前記他端部の回動を途中で制止する制止部材と、を有する。
【０００８】
この構成において、携帯機器は、例えば、ポータブルオーディオプレーヤ、DVDプレーヤー、撮像装置、PDA（Personal Digital Assistants）である。また、メディアは、例えば半導体メモリ、DVD（Digital Versatile Disk）、ハードディスクである。
この構成においては、ユーザがメディア着脱用カバーを開くために一端部を軸に他端部を回動させていくと、制止部材が、メディア着脱用カバーより先に本体ケースに当接する。
この当接により、制止部材は、他端部の回動を途中で制止し、メディア着脱用カバーは、最後まで開かずに途中で止まる。つまり、制止部材がクッションとなり、メディア着脱用カバーと本体ケースとの連結部分の負荷が軽減される。
以上より、メディア着脱用カバーと本体ケースとの連結部分の損傷を防止することができる。よって、メディア着脱用カバーの開閉の繰り返しによってその開閉が正常に行えなくなることを防止できる。従って、装置本体の信頼性が向上する。また、メディア着脱用カバーと本体ケースとの連結部分の損傷によって、本体ケースの外観が損なわれることも防止できる。
【０００９】
（２）前記第２の突起と前記制止部材とは、前記メディア着脱用カバーを作成する際に一体成型された。
【００１０】
この構成では、これらのパーツを一体成型することで、別々に作成して組み立てるよりも、簡単に製造できる。即ち、製造工程をスリム化できる。また、製造工程のスリム化に伴い、製造コストも下げることができる。
【００１１】
（３）前記円筒状回転体の材質は、金属である。
【００１２】
この構成において、メディア着脱用カバーを開ける際における一端部と円筒状回転体との摩擦抵抗が減り、メディア着脱用カバーの回動がスムーズになる。または、メディア着脱用カバーを開ける際における本体ケースと円筒状回転体との摩擦抵抗が減り、メディア着脱用カバーの回動がスムーズになる。
よって、メディア着脱用カバーを開ける際における過度な力が不要となり、メディア着脱用カバーと本体ケースとの連結部分に過度な負荷がかかることもなくなる。
従って、メディア着脱用カバーと本体ケースとの連結部分の損傷を一層防止することができる。従って、メディア着脱用カバーの開閉の繰り返しによってその開閉が正常に行えなくなることを一層防止できる。この結果、装置本体の信頼性が一層向上する。また、メディア着脱用カバーと本体ケースとの連結部分の損傷によって、本体ケースの外観が損なわれることも防止できる。
【発明の効果】
【００１３】
この発明によれば、メディア着脱用カバーと本体ケースとの連結部分の損傷を防止することができる。よって、メディア着脱用カバーの開閉の繰り返しによってその開閉が正常に行えなくなることを防止できる。従って、装置本体の信頼性が向上する。また、メディア着脱用カバーと本体ケースとの連結部分の損傷によって、本体ケースの外観が損なわれることも防止できる。
【発明を実施するための最良の形態】
【００１４】
以下、本発明の実施形態であるポータブルオーディオプレーヤについて説明する。
【００１５】
図１は、本発明の実施形態であるポータブルオーディオプレーヤの外観斜視図である。ポータブルオーディオプレーヤ１００は、筐体の本体ケース９と、メモリーカードを収納する収納部４０と、再生中の音楽データに関する情報を表示する表示部５０と、再生する音楽の変更要求等を受け付ける操作キーを有する操作部５１と、等から構成されている。
なお、本実施形態では、ポータブルオーディオプレーヤ１００を用いて説明しているが、ポータブルオーディオプレーヤ１００と同様の構成を有する撮像装置等の携帯機器にも本発明を適用することができる。
【００１６】
図２は、メディア着脱用カバー１０を取り外した状態の側面２０A〜２０Cの拡大斜視図である。図３は、メディア着脱用カバー１０が閉じた状態の側面２０A〜２０Cの拡大斜視図である。ここで、図２は、本体ケース９の側面２０A〜２０Cの様子を簡単に説明するために、メディア着脱用カバー１０を取り外している。
【００１７】
図２に示すように、本体ケース９の側面２０Aには、円筒状回転体２１を保持する回転体保持部２２A、２２Bと、回転体保持部２２A、２２Bに隣接して配置されている当接部材２３A、Bと、が形成されている。
【００１８】
そして、図３に示すように、円筒状回転体２１には、メディア着脱用カバー１０が連結される。
【００１９】
また、図１〜図３に示すように、収納部４０は、装置本体１００の本体ケース９の側面２０A〜２０Cに取り付けられたメディア着脱用カバー１０で覆われている。このメディア着脱用カバー１０は、本体ケース９の回転体保持部２２A、２２Bに取り付けられた円筒状回転体２１と連結された一端部１２A、１２Bと、該一端部１２A、１２Bを軸にして回動する他端部１４と、を有する。
【００２０】
さらに、メディア着脱用カバー１０の一端部１２A、１２Bには、メディア着脱用カバー１０を閉めた状態で、本体ケース９の取付面２０Aに対し水平に、メディア着脱用カバー１０を円筒状回転体２１を介してスライドさせるスライド部１１が形成されている。
なお、この実施形態では、一端部１２A、１２Bにスライド部１１を形成したが、実施の際は、本体ケース９における円筒状回転体２１の取付面２０Aの回転体保持部２２A、２２Bにスライド部１１を形成しても構わない。
【００２１】
図４〜図６は、メディア着脱用カバー１０の開閉動作を説明するための概略図である。図４は、メディア着脱用カバー１０が閉じた状態の図１のＳ−Ｓ線における要部断面図である。図５は、メディア着脱用カバー１０がスライドした状態の図１のＳ−Ｓ線における要部断面図である。図６は、メディア着脱用カバー１０が開いた状態の図１のＳ−Ｓ線における要部断面図である。
【００２２】
図３及び図４で示される状態のメディア着脱用カバー１０を開ける場合、まず、メディア着脱用カバー１０をスライドさせ、図４から図５の状態にする。そして、一端部１２A、１２Bを軸に他端部１４を回動させてメディア着脱用カバー１０を開け、図５から図６の状態にする。この図６の状態で、ユーザは、収納部４０に収納されているメモリーカード１１０を着脱し、メモリーカードの交換などを行う。
【００２３】
しかしながら、メモリーカードの着脱は頻繁に行われるので、メディア着脱用カバー１０の開閉回数も多くなってしまう。そのため、メディア着脱用カバー１０と本体ケース９との連結部分には負荷がかかり、該連結部分が損傷することもあった。図３では、メディア着脱用カバー１０の一端部１２A、１２Bや本体ケース９側の回転体保持部２２A、２２Bが、この連結部分に相当する。
そこで、この実施形態では、一端部１２A、１２Bに制止部材１３A、Bをそれぞれ設けている。具体的には、以下のように構成している。
【００２４】
図７は、メディア着脱用カバー１０が開いた状態の側面２０A〜２０Cの拡大斜視図である。図８は、メディア着脱用カバー１０が開いた状態のメディア着脱用カバー１０の正面図である。図８は、図６の矢印７０の方向から見た図である。また、図９は、図７の矢印７１の方向から見た要部拡大図である。
【００２５】
制止部材１３A、Bは、メディア着脱用カバー１０の他端部１４が回動する間に、メディア着脱用カバー１０より先に本体ケース９に当接する部材である。また、本体ケース９には、制止部材１３A、Bと当接する当接部材２３A、Bが設けられている。
【００２６】
そして、ユーザがメディア着脱用カバー１０を開くために一端部１２A、１２Bを軸に他端部１４を回動させて、図５から図６の状態に移行していくと、制止部材１３A、Bは、メディア着脱用カバー１０より先に本体ケース９に当接する（図７〜図９参照）。詳述すると、制止部材１３A、Bは、メディア着脱用カバー１０より先に、本体ケース９に設けられている当接部材２３A、Bと当接する（図７〜図９参照）。
【００２７】
この当接により、制止部材１３A、Bは、他端部１４の回動を途中で制止し、メディア着脱用カバー１０は、最後まで開かずに途中で止まる。つまり、制止部材１３A、Bがクッションとなり、メディア着脱用カバー１０と本体ケース９との連結部分の負荷が軽減される。
【００２８】
以上より、メディア着脱用カバー１０と本体ケース９との連結部分の損傷を防止することができる。よって、メディア着脱用カバー１０の開閉の繰り返しによってその開閉が正常に行えなくなることを防止できる。従って、装置本体１００の信頼性が向上する。また、メディア着脱用カバー１０と本体ケース９との連結部分の損傷によって、本体ケース９の外観が損なわれることも防止できる。
【００２９】
図１０は、図３の点線部分８０の要部拡大図である。本体ケース９の取付面２０Cには、第１の突起２６および第１の窪み２５が形成されている。また、メディア着脱用カバー１０には、メディア着脱用カバー１０を閉めた状態でスライドさせたときに、第１の突起２６と嵌合する第２の突起１５および第２の窪み１６が形成されている。
【００３０】
これにより、メディア着脱用カバー１０を閉めた状態でスライドさせた時に、即ち図４から図５の状態又は図５から図４の状態にした時に、ユーザは抵抗感（以下、「クリック感」という。）を感じる。
【００３１】
従って、メディア着脱用カバー１０を閉めた状態でスライドさせた時に、クリック感をユーザに与えることができる。
【００３２】
なお、メディア着脱用カバー１０は、金型を用いた射出成型によって作成される。また、メディア着脱用カバー１０の材質には、成形性の観点から熱可塑性の合成樹脂を使用している。そして、第２の窪み１６と第２の突起１５と制止部材１３A、Bとは、メディア着脱用カバー１０を作成する際に、一体成型されて作成される。
このように、これらのパーツを一体成型することで、別々に作成して組み立てるよりも、簡単に製造できる。即ち、製造工程をスリム化できる。また、製造工程のスリム化に伴い、製造コストも下げることができる。
【００３３】
また、本発明の実施形態は、以下の変形例を採用することができる。
【００３４】
（第１変形例）
メディア着脱用カバー１０と円筒状回転体２１とが同じ合成樹脂で成型されていた場合、メディア着脱用カバー１０と円筒状回転体２１との摩擦抵抗が大きい。または、メディア着脱用カバー１０と円筒状回転体２１との摩擦抵抗が大きい。
そのため、メディア着脱用カバー１０を開ける際に過度な力が必要となり、メディア着脱用カバー１０と本体ケース９との連結部分に過度な負荷がかかるおそれがある。ここで、図３では、メディア着脱用カバー１０の一端部１２A、１２Bや本体ケース９側の回転体保持部２２A、２２Bが、この連結部分に相当する。
【００３５】
そこで、円筒状回転体２１の材質を、金属にする。これにより、メディア着脱用カバー１０を開ける際における一端部１２A、Bと円筒状回転体２１との摩擦抵抗が減り、メディア着脱用カバー１０の回動がスムーズになる。または、メディア着脱用カバー１０を開ける際における回転体保持部２２A、２２Bと円筒状回転体２１との摩擦抵抗が減り、メディア着脱用カバー１０の回動がスムーズになる。
【００３６】
よって、メディア着脱用カバー１０を開ける際における過度な力が不要となり、メディア着脱用カバー１０と本体ケース９との連結部分に過度な負荷がかかることもなくなる。
【００３７】
従って、メディア着脱用カバー１０と本体ケース９との連結部分の損傷を一層防止することができる。従って、メディア着脱用カバー１０の開閉の繰り返しによってその開閉が正常に行えなくなることを一層防止できる。この結果、装置本体１００の信頼性が一層向上する。
また、メディア着脱用カバー１０と本体ケース９との連結部分の損傷によって、本体ケース９の外観が損なわれることも防止できる。
【図面の簡単な説明】
【００３８】
【図１】本発明の実施形態であるポータブルオーディオプレーヤの外観斜視図
【図２】メディア着脱用カバー１０を取り外した状態の側面２０A〜２０Cの拡大斜視図
【図３】メディア着脱用カバー１０が閉じた状態の側面２０A〜２０Cの拡大斜視図
【図４】メディア着脱用カバー１０が閉じた状態の図１のＳ−Ｓ線における要部断面図
【図５】メディア着脱用カバー１０がスライドした状態の図１のＳ−Ｓ線における要部断面図
【図６】メディア着脱用カバー１０が開いた状態の図１のＳ−Ｓ線における要部断面図
【図７】メディア着脱用カバー１０が開いた状態の側面２０A〜２０Cの拡大斜視図
【図８】メディア着脱用カバー１０が開いた状態のメディア着脱用カバー１０の正面図
【図９】図７の矢印７１の方向から見た図
【図１０】図３の点線部分８０の要部拡大図
【符号の説明】
【００３９】
９−本体ケース
１０−メディア着脱用カバー
１１−スライド部
１２A、B−一端部
１３A、B−制止部材
１４−他端部
１５−突起
１６−窪み
２０A〜C−側面、取付面
２１−円筒状回転体
２２A、B−回転体保持部
２３A、B−当接部材
２５−窪み
２６−突起
４０−収納部
５０−表示部
５１−操作部
１００−ポータブルオーディオプレーヤ、装置本体
１１０−メモリーカード
【図１】
2008123248.tif 000003
【図２】
2008123248.tif 000004
【図３】
2008123248.tif 000005
【図４】
2008123248.tif 000006
【図５】
2008123248.tif 000007
【図６】
2008123248.tif 000008
【図７】
2008123248.tif 000009
【図８】
2008123248.tif 000010
【図９】
2008123248.tif 000011
【図１０】
2008123248.tif 000012